(57)【要約】【課題】複数のゴーグル装着部交換シート１を清潔に保って保管することができ、且つゴーグル装着部交換シート１を一枚ずつ容易に取り出すことができるゴーグル装着部交換シート用収納容器Ａを提供する。【解決手段】人体Ｈの顔面に装着固定するゴーグル１０の装着面に着脱可能なゴーグル装着部交換シート１を収納する収納容器Ａである。複数のゴーグル装着部交換シート１が積層された状態で収容される容器３０の、前記ゴーグル装着部交換シート１の積層方向の一面の一部に、取出用開口３１を設ける。これにより、ゴーグル装着部交換シート１を取り出す際には、取出用開口３１から露出する上面のゴーグル装着部交換シート１を手指で摘んで引き上げて、一枚ずつ取り出すことができる。【選択図】図１
2005178875.tif 000002
【特許請求の範囲】
【請求項１】
人体の顔面に装着固定するゴーグルの装着面に着脱可能なゴーグル装着部交換シートを収納する収納容器であって、複数のゴーグル装着部交換シートが積層された状態で収容される容器の、前記ゴーグル装着部交換シートの積層方向の一面の一部に、取出用開口を設けて成ることを特徴とするゴーグル装着部交換シート用収納容器。
【請求項２】
上記取出用開口を開閉自在とする蓋体を具備することを特徴とする請求項１に記載のゴーグル装着部交換シート用収納容器。
【発明の詳細な説明】
【技術分野】
【０００１】
本発明は、眼振計や表示装置等として使用されるゴーグルに対して用いられるゴーグル装着部交換シートを収納する容器に関するものである。
【背景技術】
【０００２】
映像表示装置等を内蔵するゴーグルは、娯楽用の表示装置やめまい検査用の眼振計などに応用されている（特許文献１参照）。このようなゴーグルは、使用者や被験者の人体の顔面に装着固定して使用される。
【０００３】
このようなゴーグルは、複数人が使用する場合が多く、このためゴーグルの装着時に顔面に直接接触する部位（装着面）を清潔に保つことが求められている。そこで、ゴーグルの装着面に着脱可能なゴーグル装着部交換シート１が提案されている。
【０００４】
このようなゴーグル装着部交換シート１としては、例えば特許文献２では、図５に示すように、ゴーグル１０の観察光学ユニット及び画像表示ユニット（図示せず）を保持するフレームに対して着脱可能であって、フレームを観察者の頭部もしくは顔面に装着するクッションパッド２１および鼻当て２２に各々装着するものが提案されている。かかる二つの分離した部材２３、２４からなるゴーグル装着部交換シート１は、ゴーグル１０の使用時に、クッションパッド２１および鼻当て２２に装着し、使用後取り外して廃棄することにより使い棄てて、ゴーグル１０を清潔に保つことができる。
【０００５】
また、上記のゴーグル装着部交換シート１ではクッションパッド２１と鼻当て２２とに分離して装着するため装着や交換に手間がかるものであるが、ゴーグル装着部交換シート１を一体のシート状部材にて形成したものとして、本出願人が、特願２００３−３０１８４５において提案しているものがある。このゴーグル装着部交換シート１は、図２，３に示すように、眼部外周縁当接部２及び鼻当接部３が一体となって形成されており、また、ゴーグル１０の装着部形状に対応した形状に形成される。
【０００６】
このように形成されるゴーグル装着部交換シート１を保管する際には、例えば複数枚のゴーグル装着部交換シート１を重ねて積層し、これを箱等の容器に入れておくものであり、またこのゴーグル装着部交換シート１を取り出す際には、箱等からゴーグル装着部交換シート１の積層物を取り出し、これから一枚のゴーグル装着部交換シート１を取り出して使用するものである。
【特許文献１】特開平９−２８５４６８号公報
【特許文献２】特開平１１−３８３５０号公報
【発明の開示】
【発明が解決しようとする課題】
【０００７】
上記のようにゴーグル装着部交換シート１を保管する場合には、箱等から一旦すべてのゴーグル装着部交換シート１の積層物を取り出さなければならず、またこの積層物からゴーグル装着部交換シート１を一枚取り出した後は、残りのゴーグル装着部交換シート１を元通り箱等に収納しなければならず、取り出し作業が繁雑なものであった。また、箱等からのゴーグル装着部交換シート１の出し入れの際に、ゴーグル装着部交換シート１の積層物に手で触れることにより汚れたり、或いは他の汚れや埃等が付着する機会が多くなって、保管中のゴーグル装着部交換シート１を清潔に保つことが難しいものであった。
【０００８】
本発明は上記の点に鑑みて為されたものであり、複数のゴーグル装着部交換シート１を清潔に保って保管することができ、且つゴーグル装着部交換シート１を一枚ずつ容易に取り出すことができるゴーグル装着部交換シート用収納容器Ａを提供することを目的とするものである。
【課題を解決するための手段】
【０００９】
本発明に係るゴーグル装着部交換シート用収納容器Ａは、人体Ｈの顔面に装着固定するゴーグル１０の装着面に着脱可能なゴーグル装着部交換シート１を収納する収納容器Ａであって、複数のゴーグル装着部交換シート１が積層された状態で収容される容器３０の、前記ゴーグル装着部交換シート１の積層方向の一面の一部に、取出用開口３１を設けて成ることを特徴とするものである。これにより、ゴーグル装着部交換シート１を取り出す際には、取出用開口３１から露出する上面のゴーグル装着部交換シート１を手指で摘んで引き上げることにより、ゴーグル装着部交換シート１を一枚ずつ容易に取り出すことができ、このとき、取り出すゴーグル装着部交換シート１以外の他のゴーグル装着部交換シート１には手を触れず、或いは僅かに手を触れるだけで、ゴーグル装着部交換シート１を取り出すことができ、容器３０内に収納されているゴーグル装着部交換シート１が汚れる機会が低減する。
【００１０】
このゴーグル装着部交換シート用収納容器Ａには、上記取出用開口３１を開閉自在とする蓋体３２を具備させることが好ましい。これにより、取出用開口３１が蓋体３２にて閉塞されていることから、容器３０の内部に埃等が浸入することが防止され、ゴーグル装着部交換シート１が清潔に保たれる。
【発明の効果】
【００１１】
本発明では、ゴーグル装着部交換シートを取り出す際には、取出用開口から露出する上面のゴーグル装着部交換シートを手指で摘んで引き上げることにより、ゴーグル装着部交換シートを一枚ずつ容易に取り出すことができ、このとき、取り出すゴーグル装着部交換シート以外の他のゴーグル装着部交換シートには手を触れず、或いは僅かに手を触れるだけで、ゴーグル装着部交換シートを取り出すことができ、容器内に収納されているゴーグル装着部交換シートが汚れる機会が低減する。
【発明を実施するための最良の形態】
【００１２】
映像表示装置等を内蔵し、娯楽用の表示装置やめまい検査用の眼振計などに応用されるゴーグル１０としては、図４に示すものを挙げることができる。このゴーグル１０は、人体Ｈの目の動きに影響を及ぼす周囲の光が侵入しないように、人体Ｈの眼部周辺を覆うように装着され、ゴーグル取付用ベルト１１により人体Ｈの顔面に固定されている。また、ゴーグル１０の装着面には、装着性及び装着感の向上のため、ウレタンスポンジ等のスポンジ（図示せず）が貼着されている。
【００１３】
このようなゴーグル１０に使用されるゴーグル装着部交換シート１としては、図２に示すようなものがある。これは、眼部外周縁当接部２及び鼻当接部３が一体となって形成されており、また、ゴーグル１０の装着部形状に対応した形状に形成される。
【００１４】
眼部外周縁当接部２は、横長のアイマスクのような外縁形状に、眼部を挿通させる抜穴部２ａを有するものであって、装着時に眼部の外周を覆うような形状に形成されている。抜穴部２ａは二つのものが横方向に並んで設けられ、二つの抜穴部２ａの間は、縦方向に長い幅狭の仕切部７にて仕切られている。また鼻当接部３は、装着時に鼻梁及びその両端部を覆うような形状に形成されている。
【００１５】
また、眼部外周縁当接部２と鼻当接部３とは、鼻梁部近傍部４ｂを介して一体に形成されており、この鼻梁部近傍部４ｂの両側における、眼部外周縁当接部２と鼻当接部３とのとの境界に沿って、幅狭の略同一幅の切り込み部４がハ字状に形成されている。一方の切り込み部４の外縁部４ａの近傍には、切り込み部４を幅方向に横切る破断用連結部５を設けて、この破断用連結部５にて眼部外周縁当接部２と鼻当接部３とを連結するようにしている。これにより眼部外周縁当接部２と鼻当接部３が外縁部で連結されてまとまりよく一体に形成され、装着開始の際、取扱や装着場所の位置決めが容易となっている。この破断用連結部５は幅狭で微小な部材であるため、装着の際になどに破断用連結部５を破断することが容易であり、これにより鼻当接部３を鼻全体に容易に当接させることができる。
【００１６】
また、図２に示される切り込み部４に代えて、図３に示すように、鼻梁部近傍部４ｂの両側に、眼部外周縁当接部２と鼻当接部３との境界に沿って、鼻梁部近傍４ｂから外縁部近傍に向かうに従って開口幅が小さくなる鼻当接部隆起用開口部６を設けても良い。この場合は、眼部外周縁当接部２を顔面に沿って装着する際に、上記のような眼部外周縁当接部２と鼻当接部３との分離をすることなく、鼻当接部３が隆起して人体Ｈの鼻梁及びその両側部全体を覆うように当接することができるので、装着時の作業性がさらに向上する。
【００１７】
このゴーグル装着部交換シート１の材質としては、不織布を用いた場合は、スポンジとの密着性がよくなり、ゴーグル装着部交換シート１の装着性が良好となる。また、このような不織布の材質として、繊維のけばだちが多いものを用いると、スポンジと絡み合って簡単には剥がれなくなるため、ゴーグル装着部交換シート１の装着性が一層良好となる。特にスポンジがウレタンスポンジの場合は、ポリエステル不織布やナイロン不織布が、好適に用いられる。
【００１８】
図１は、本発明に係るゴーグル装着部交換シート用収納容器Ａの一例を示すものであり、上面が開放された直方体状の箱本体３５の上面の、対向する二つの辺に、それぞれ中蓋体３３と外蓋体３４とを回動自在に設けて形成されている。中蓋体３３には、取出用開口３１が形成されている。この箱本体３５と中蓋体３３とで、上記のようなゴーグル装着部交換シート１が複数積層された状態で収容され且つ前記ゴーグル装着部交換シート１の積層方向の一面に取出用開口３１が設けられた容器３０が構成される。また外蓋体３４にて、上記取出用開口３１を開閉自在な蓋体３２が構成される。
【００１９】
箱本体３５は、その内部に複数のゴーグル装着部交換シート１を上下に重ねて積層したものが収容されるように適宜の寸法に形成される。
【００２０】
中蓋体３３は、箱本体３５の上面の一つの長辺から延出するように形成され、且つこの長辺を軸に回動自在に形成されている。そして中蓋体３３は回動することにより箱本体３５の上面開口を開閉自在に形成される。また、中蓋体３３の先端は、中蓋体３３にて上面開口を閉塞した状態において下方に折り返されて、この折り返し部分により差入片３６が形成されている。中蓋体３３を閉塞する際にはこの差入片３６を箱本体３５の開口縁に差し入れることで、閉塞状態が維持される。
【００２１】
上記中蓋体３３には、取出用開口３１が設けられている。この取出用開口３１は、中蓋体３３を閉塞した際に箱本体３５の内部に連通するものであり、箱本体３５の内部にゴーグル装着部交換シート１が収容されている状態では、ゴーグル装着部交換シート１の積層物の最上面の一枚が、取出用開口３１にて外部に露出するようになる。
【００２２】
取出用開口３１は容器３０の上面（すなわち中蓋体３３）の一部に開口するように設け、これにより最上面のゴーグル装着部交換シート１の一部が、取出用開口３１にて外部に露出するように形成される。図示の例では、取出用開口３１は中蓋体３３の略中央部に、楕円形状に形成されており、中蓋体３３の閉塞時にはこの取出用開口３１にて、最上面のゴーグル装着部交換シート１の抜穴部２ａ及び仕切部７が露出するように形成されている。ここで、少なくとも仕切部７が取出用開口３１にて露出するように形成することが好ましい。
【００２３】
また外蓋体３４は、箱本体３５の上面の二つの長辺のうち、上記中蓋体３３が形成されている側とは反対側の長辺から延出するように形成されており、この長辺を軸に回動自在に形成されている。そして外蓋体３４は回動することにより取出用開口３１を開閉自在に形成されている。
【００２４】
外蓋体３４は、中蓋体３３が箱本体３５の上面開口を閉塞している状態において、回動することにより取出用開口３１を開閉する。取出用開口３１を閉塞する際には、外蓋体３４は中蓋体３３の上面に重ねて配置される。この閉塞状態において外蓋体３４の先端は下方に折り返されており、この折り返し部分は縁片部３７として形成されている。この縁片部３７の先端には、差込片３８が突設されている。一方、箱本体３５の側面には、前記差込片３８と合致する位置に切れ込み３９が設けられており、外蓋体３４の閉塞状態において差込片３８を切れ込み３９に差し込むことで、外蓋体３４の閉塞状態が維持されている。また外蓋体３４を開く際には差込片３８を切れ込み３９から引き出して外蓋体３４を上方に回動させることにより、取出用開口３１を開放するものである。
【００２５】
また、箱本体３５の上面開口の二つの短辺からは、それぞれ側縁片４０が延出して設けられている。この二つの側縁片４０は、前記短辺を軸に回動自在に形成されている。
【００２６】
このように形成されるゴーグル装着部交換シート用収納容器Ａでは、ゴーグル装着部交換シート１を収納する際に、まず外蓋体３４と中蓋体３３を開放した状態で、箱本体３５の内部にゴーグル装着部交換シート１を上下に重ねて積層した状態で収容する。次いで、二つの側縁片４０を内側に回動させて略水平状態とし、この状態で中蓋体３３を回動させ、差入片３６を上面開口の開口縁に差し入れると共に中蓋体３３にて上面開口を閉塞する。これによりゴーグル装着部交換シート１が容器３０に収納された状態となる。
【００２７】
次いで、外蓋体３４を回動させて、差込片３８を切れ込み３９に差し込むと共に外蓋体３４を中蓋体３３の上面に重ねて、取出用開口３１を閉塞する。このように取出用開口３１が蓋体３２（外蓋体３４）にて閉塞されていることから、容器３０の内部に埃等が浸入することが防止され、ゴーグル装着部交換シート１が清潔に保たれる。
【００２８】
またゴーグル装着部交換シート１を取り出す際には、蓋体３２（外蓋体３４）を回動させて取出用開口３１を開放し、この取出用開口３１から露出する上面のゴーグル装着部交換シート１を手指で摘んで引き上げることにより、ゴーグル装着部交換シート１を一枚ずつ容易に取り出すことができる。このとき、取り出すゴーグル装着部交換シート１以外の他のゴーグル装着部交換シート１には手を触れず、或いは僅かに手を触れるだけで、ゴーグル装着部交換シート１を取り出すことができ、容器３０内に収納されているゴーグル装着部交換シート１が汚れる機会が低減するものである。
【００２９】
ここで、上記のように取出用開口３１を、ゴーグル装着部交換シート１の少なくとも仕切部７が露出するように形成していると、ゴーグル装着部交換シート１を取り出す際には仕切部７を手指で摘んで引き出すことにより、非常に容易に取り出しを行うことができ、またこのとき他のゴーグル装着部交換シート１には殆ど手を触れずに取り出しを行うことができるものである。
【図面の簡単な説明】
【００３０】
【図１】（ａ）〜（ｄ）は、本発明の実施の形態の一例を示す斜視図である。
【図２】ゴーグル装着部交換シートの一例を示す平面図である。
【図３】ゴーグル装着部交換シートの他例を示す平面図である。
【図４】ゴーグルを人体に装着した様子を示す概略斜視図である。
【図５】ゴーグルとゴーグル装着部交換シートの他例を示す斜視図である。
【符号の説明】
【００３１】
１  ゴーグル装着部交換シート
１０  ゴーグル
３０  容器
３１  取出用開口
３２  蓋体
Ａ  ゴーグル装着部交換シート用収納容器
Ｈ  人体
【図１】
2005178875.tif 000003
【図２】
2005178875.tif 000004
【図３】
2005178875.tif 000005
【図４】
2005178875.tif 000006
【図５】
2005178875.tif 000007